(57)【要約】【課題】放水後のリキャップ作業を自動化可能な防塵キャップ及びそれが取付けられた放水ノズルを提供する。【解決手段】放水口部２１ａと、放水口部２１ａに供給された水の散水方向Ａ１を偏向するデフレクタ２２と、を備える放水ノズル２１に用いられる防塵キャップ１において、防塵キャップ１を、放水ノズル２１に取付けた際に、少なくとも放水口部２１ａを覆う様に設けられた開閉部１０と、開閉部１０を、開方向Ａ２及び閉方向Ａ３へと回動可能にする回動手段１２，１０ｂと、開閉部１０を、閉方向Ａ３へと付勢する付勢手段１２ｂと、を備えるものとし、開閉部１０が、傾斜壁部１０ｃを有し、傾斜壁部１０ｃを、開閉部１０が閉状態において、偏向後の散水方向Ａ１と交差する様に設け、該放水の水勢によって、開閉部１０が、開状態が維持されるものとする。【選択図】図３
2020065599.tif 000002
【特許請求の範囲】
【請求項１】
放水口部と、該放水口部に供給された水の散水方向を偏向する偏向手段と、を備える放水ノズルに用いられる防塵キャップであって、
該防塵キャップを該放水ノズルに取付けた際に、少なくとも該放水口部を覆う様に設けられた開閉部と、
該開閉部を、開方向及び閉方向へと回動可能にする回動手段と、
該開閉部を、閉方向へと付勢する付勢手段と、を備えており、
該開閉部は、傾斜壁部を有し、
該傾斜壁部は、該開閉部が閉状態において、偏向後の該散水方向と交差する様に設けられており、
該放水の水勢によって、該開閉部は、開状態が維持されることを特徴とする防塵キャップ。
【請求項２】
前記回動手段は、前記防塵キャップが前記放水ノズルに取付けられた際に、前記偏向手段の基部側であって、該偏向手段の略延長上に位置する様に設けられていることを特徴とする請求項１に記載の防塵キャップ。
【請求項３】
前記放水ノズルに前記防塵キャップを固定するための固定部を更に備え、
前記開閉部は、該固定部と重なる様に取り付けられていることを特徴とする請求項１又は２に記載の防塵キャップ。
【請求項４】
カバー部を更に備え、
該カバー部は、前記防塵キャップが閉状態において、前記回動手段を、少なくとも上方より覆う様に設けられていることを特徴とする請求項１乃至３の何れかに記載の防塵キャップ。
【請求項５】
請求項１乃至４の何れかに記載された防塵キャップを備えた放水ノズルであって、
放水口部が形成されたノズル本体と、
該ノズル本体に取付けられた前記偏向手段と、を備え、
該防塵キャップは、該ノズル本体に固定されていることを特徴とする放水ノズル。
【発明の詳細な説明】
【技術分野】
【０００１】
本発明は、防塵キャップ及びそれを備えた放水ノズルに関する。
【背景技術】
【０００２】
従来、放水口と対向する位置に、該放水口からの放水の散水方向を偏向するデフレクタを備えた放水ノズルを備えた放水ヘッドがある（特許文献１を参照）。この様な放水ノズルは、特に、遠投用放水ノズルとして設けられており、主に道路トンネル（以下、トンネルという）内に設置されるものである。放水ヘッドは、トンネル内で火災が発生した場合、トンネル内に散水を行い、火勢の抑制や延焼を防止するために設けられている。そのため、放水ヘッドは、トンネル内の比較的高所に設置される。
【０００３】
トンネル内は、塵埃（排気ガス由来の煤等を含む）等が他の場所と比較して多いため、塵埃等が放水口に堆積して、放水口が閉塞されてしまうと、水の噴霧に支障を来たすこととなるため、放水ノズルには、防塵キャップが取付けられているものもある。
【先行技術文献】
【特許文献】
【０００４】
【特許文献１】特開２０１８−１１７７２７号公報
【発明の概要】
【発明が解決しようとする課題】
【０００５】
従来の防塵キャップは、放水口からの放水の水勢によって、放水ノズルから外れ、自動的に放水口を開放する様に設けられているものの、放水後に、防塵キャップをリキャップする際には、放水ノズル一つ一つを、人の手で行われており、非常に手間の掛る作業であると共に高所作業も必要であった。
【０００６】
そこで、本発明では、放水後のリキャップ作業を自動化可能な防塵キャップ及びそれが取付けられた放水ノズルを提供することを目的とする。
【課題を解決するための手段】
【０００７】
本発明は、放水口部と、該放水口部に供給された水の散水方向を偏向する偏向手段と、を備える放水ノズルに用いられる防塵キャップであって、前記防塵キャップを前記放水ノズルに取付けた際に、少なくとも該放水口部を覆う様に設けられた開閉部と、該開閉部を、開方向及び閉方向へと回動可能にする回動手段と、該開閉部を、閉方向へと付勢する付勢手段と、を備えており、該開閉部は、傾斜壁部を有し、該傾斜壁部は、該開閉部が閉状態において、偏向後の該散水方向と交差する様に設けられており、該放水の水勢によって、該開閉部は、開状態が維持されることを特徴とする防塵キャップである。
【０００８】
又、本発明は、前記防塵キャップを備えた放水ノズルであって、放水口部が形成されたノズル本体と、該ノズル本体に取付けられた前記偏向手段と、を備え、該防塵キャップは、該ノズル本体に固定されていることを特徴とする放水ノズルである。
【０００９】
尚、本発明は、前記回動手段を、前記防塵キャップが前記放水ノズルに取付けられた際に、前記偏向手段の基部側であって、該偏向手段の略延長上に位置する様に設けることが可能である。又、本発明は、前記放水ノズルが前記防塵キャップを固定するための固定部を更に備えるものとし、前記開閉部を、該固定部と重なる様に取り付けることが可能である。又、本発明は、カバー部を更に備えるものとし、該カバー部を、前記防塵キャップが閉状態において、前記回動手段を、少なくとも上方より覆う様に設けることが可能である。
【発明の効果】
【００１０】
本発明は、偏向後の散水方向と交差する様に設けられた傾斜壁部を防塵キャップの開閉部に設けると共に該開閉部を付勢手段によって、閉方向に付勢する様にしたため、放水後に開閉部は、自動的に開状態から閉状態へと戻ることが可能である。従って、放水後のリキャップ作業を自動化可能となっている防塵キャップ及びそれが取付けられた放水ノズルを提供することが可能となっている。
【図面の簡単な説明】
【００１１】
【図１】本発明の第１実施形態を示す図であり、放水ヘッドの斜視図である。
【図２】本発明の第１実施形態を示す図であり、防塵キャップの拡大斜視図である。
【図３】本発明の第１実施形態を示す図であり、防塵キャップが閉状態における放水ヘッドの縦断面図である。
【図４】本発明の第１実施形態を示す図であり、防塵キャップが開状態における放水ヘッドの縦断面図である。
【図５】本発明の第２実施形態を示す図であり、防塵キャップが閉状態における放水ヘッドの縦断面図である。
【発明を実施するための形態】
【００１２】
本発明の第１実施形態を、図１乃至図４に基づき説明する（尚、各図において、透明（半透明）で描写された部分があるが、これは、説明の都合上であり、不透明、透明、透光性の何れの素材を採用するかは、適宜選択可能なものである）。本実施形態は、防塵キャップ１と、防塵キャップ１が取付けられる放水ノズル２１が設けられた放水ヘッド２を備えている。
【００１３】
放水ヘッド２は、例えば、トンネル内の比較的高所に設置され、ヘッド本体２０及びヘッド本体２０に取付けられた放水ノズル２１を備えている。ヘッド本体２０は、ポンプやポンプに接続された配管を含む放水設備（図示せず）に接続されており、該ポンプによって、該配管から水の供給を受ける様に構成されている。
【００１４】
放水ノズル２１には、消火水を放水可能に設けられた放水口部２１ａと、放水口部２１ａに供給された水の散水方向を偏向するための偏向手段の一例であるデフレクタ２２とを有しており、本実施形態においては、放水口部２１ａは、ノズル本体２１ｂに設けられると共にデフレクタ２２がノズル本体２１ｂに取付けられている。放水口部２１ａの外周側には、少なくとも放水口部２１ａの先端側が突出する様に設けられた台座部２３が設けられている。
【００１５】
デフレクタ２２は、放水口部２１ａと対向する位置に設けられ、放水口部２１ａからの放水を衝突させることで、該放水の散水方向を偏向するものである。デフレクタ２２は、所望する放水の散水方向Ａ１に応じた、所定の角度で、その基部２２ａがノズル本体２１ｂにデフレクタ２２を取付けるための取付部材２４と一体的に形成されている。
【００１６】
本実施形態において、放水ヘッド２は、遠投用放水ノズルと近投用放水ノズル２５を備えており、放水ノズル２１は、遠投用放水ノズルとして設けられている。近投用放水ノズル２５は、その口部２５ａに塵埃が堆積するのを防止するためにカバー体３が取付けられている。カバー体３は、近投用放水ノズル２５からの放水により、左右方向に観音開きをする様に構成されており、又、放水が止まった際に、元の状態へと戻る様に図示しない発条により付勢されている。尚、放水ヘッド２に設けられる放水ヘッドの数や各放水ヘッドの散水範囲等は、適宜選択することが可能である。
【００１７】
防塵キャップ１は、放水ノズル２１に取付可能に設けられており、開閉部１０、固定部１１及び回動軸部１２を有している。固定部１１は、防塵キャップ１を、放水ノズル２１に取り付けるために設けられており、穴部１１ａが形成されている。
【００１８】
穴部１１ａは、少なくとも放水口部２１ａ及びデフレクタ２２が貫通可能に設けられていると共に上段部１１ｂ及び下段部１１ｃを有している。上段部１１ｂは、放水口部２１ａと嵌合可能に形成されており、又、下段部１１ｃは、上段部１１ｂよりも僅かに大径となる様に形成されている。
【００１９】
即ち、防塵キャップ１は、上段部１１ｂと放水口部２１ａとが嵌合すると共に下段部１１ｃの上面が台座部２３に冠着されることによって、放水ノズル２１に固定される様になっていることになる。本実施形態においては、更に、固定部１１を放水ノズル２１に螺子止めすることで、この固定をより強固なものとしている。この様にすることによって、防塵キャップ１が放水の水勢によって、放水ノズル２１から外れるのを防止できると共に放水ノズル２１からの防塵キャップの着脱が簡単となり、施工性がよいものとなる。
【００２０】
本実施形態において、固定部１１には、更に、押え部１３が立設されている。押え部１３は、穴部１１ａと連続する様に設けられており、防塵キャップ１が、放水ノズル２１に取付けられた際に、デフレクタ２２と当接し、デフレクタ２２と防塵キャップ１との位置関係を固定するために設けられている。
【００２１】
回動軸部１２は、後述する開閉部１０の軸受部１０ｂと共に開閉部１０を回動させるための回動手段の一例を構成している。回動軸部１２は、軸受部１０ｂを回動可能に軸支する回動軸１２ａ及び開閉部１０を閉方向Ａ３へと付勢する付勢手段の一例である拘束発条１２ｂを有している。本実施形態においては、一対の回動軸１２ａが、回動軸部１２の軸支部１２ｃの両側面に突設されている。
【００２２】
回動軸部１２は、好ましくは、防塵キャップ１を放水ノズル２１に取付けた際に、偏向手段（デフレクタ２２）の基部２２ａ側であって、偏向手段（デフレクタ２２）の略延長上に位置する様に固定部１１から延在する形で設けられる。この様にすることで、後述する蓋体１０ａを回動させる際に、開閉部１０（蓋体１０ａ）の回動角をより小さくすることが可能となり、散水時に開閉部１０に掛かる力をより逃がすことが可能となる。
【００２３】
開閉部１０は、蓋体１０ａ及び軸受部１０ｂを有している。軸受部１０ｂは、回動軸部１２と共に前記回動手段の一例を構成しており、回動軸部１２の回動軸１２ａに蓋体１０ａを開方向Ａ２及び閉方向Ａ３に回動可能に軸支される様に設けられている。本実施形態においては、回動軸１２ａに合せて、一対の軸受部１０ｂが設けられている。
【００２４】
蓋体１０ａは、防塵キャップ１を放水ノズル２１に取付けた際に、少なくとも放水口部２１ａを覆う様に設けられており、放水口部２１ａに塵埃が堆積し、放水の散水に支障が生じることを防止するためのものである。蓋体１０ａは、前記付勢手段（拘束発条１２ｂ）によって、閉方向Ａ３に常に付勢されていると共に傾斜壁部１０ｃが形成されている。本実施形態において、蓋体１０ａは、平面視において、固定部１１と重なる様に設けられている。この様にすることにより、蓋体１０ａ内が密閉されため、蓋体１０ａ内に塵埃等が進入することが防止することが可能である。
【００２５】
尚、蓋体１０ａと固定部１１とは、一体とものとして成形することも可能であるが、好ましくは、蓋体１０ａと固定部１１とは、別体として成形される。この様にすることで、比較的強度を必要とする固定部１１の材料に囚われることなく、蓋体１０ａの材料を適宜選択することができ、材料の選択の幅を広げることが可能となる。
【００２６】
傾斜壁部１０ｃは、防塵キャップ１が放水ノズル２１に取付けられた際に、防塵キャップ１（開閉部１０）が閉状態において、偏向後の放水の散水方向Ａ１と交差、好ましくは、略直交、する様に設けられている。これによって、蓋体１０ａは、放水ノズル２１からの流体（水や空気）が、偏向手段（デフレクタ２２）に偏向され、傾斜壁部１０ｃに当たることで、該流体の勢いによって、開方向Ａ２に回転すると共に開状態が維持される様になっており、その後、放水ノズル２１からの放水が止まった際に、拘束発条１２ｂの付勢力によって、閉方向Ａ３へと回転し、元の位置へと戻る様になっている。
【００２７】
前記ポンプによって、放水ヘッド２に水が供給されると、放水口部２１ａより、前記配管内に残留していた空気と共に水がデフレクタ２２に向けて放出される。この放出された流体（水や空気）が、デフレクタ２２によって、散水方向Ａ１へと偏向され、蓋体１０ａの傾斜壁部１０ｃに当たり、蓋体１０ａを開方向Ａ２へと押し上げ、蓋体１０ａを回動させて開状態とする。この開状態は、放水の水勢によって、放水中は維持される。その後、放水が止まると、蓋体１０ａは、拘束発条１２ｂの付勢力によって、閉方向Ａ３へと回動し、再度閉状態となり、放水口部２１ａはリキャップされる。
【００２８】
従って、本実施形態においては、放水後に、防塵キャップ１が自動的に開状態から閉状態へと戻る様になっており、人の手により、防塵キャップ１を元の状態へと一つ一つ戻す必要がない様になっていることとなる。
【００２９】
本発明を、上記実施形態に基づく説明したが、本発明は、上記実施形態に限定されるものではなく、発明の要旨を変更しない範囲で適宜変更可能である。
【００３０】
（１）例えば、上記実施形態においては、前記回動手段（回動軸部１２及び軸受部１０ｂ）を外部に露出させているが、本発明の第２実施形態（図５を参照、第１実施形態と同一の符号で示した構成は、同実施形態と同様である）の様に、防塵キャップ１に、別途カバー部１０ｄを設け、カバー部１０ｄによって、回動手段（回動軸部１２及び軸受部１０ｂ）を少なくとも上方より覆う様にしてもよい。
【００３１】
この様にすることで、トンネル内等の特に塵埃が多い場所において、回動手段に該塵埃が堆積し、該塵埃が固着化し、開閉部１０（蓋体１０ａ）の回動が阻害されるのをより防止することが可能となる。尚、本実施形態において、カバー部１０ｄは、笠状のものが採用されているが、他の形状についても採用可能である。又、蓋体１０ａとは別体として、カバー部を設けることも可能である。
【００３２】
（２）上記実施形態においては、放水口部２１ａ及び偏向手段（デフレクタ２２）を別体として設けたが、それらを一体のものとして若しくは該偏向手段を放水口部２１ａの一部として設けることも可能である。その場合において、偏向手段を管状として、放水口部２１ａと偏向手段とを一の曲管（図示せず）として設けることも可能である。
【００３３】
（３）上記実施形態においては、開閉部１０を、散水方向Ａ１に対して上方に開蓋するものとしたが、開閉部１０を、散水方向Ａ１に対して下方に開蓋するものとすることも可能である。
【符号の説明】
【００３４】
１      防塵キャップ          １０    開閉部                １０ａ  蓋体
１０ｂ  軸受部                １０ｃ  傾斜壁部              １０ｄ  カバー部
１１    固定部                １１ａ  穴部                  １１ｂ  上段部
１１ｃ  下段部                １２    回動軸部              １２ａ  回動軸
１２ｂ  拘束発条              １２ｃ  軸支部                １３    押え部
２      放水ヘッド            ２０    ヘッド本体            ２１    放水ノズル
２１ａ  放水口部              ２１ｂ  ノズル本体            ２２    デフレクタ
２２ａ  基部                  ２３    台座部                ２４    取付部材
２５    近投用放水ノズル      ２５ａ  口部                  ３      カバー体
Ａ１    散水方向              Ａ２    開方向                Ａ３    閉方向
【図１】
2020065599.tif 000003
【図２】
2020065599.tif 000004
【図３】
2020065599.tif 000005
【図４】
2020065599.tif 000006
【図５】
2020065599.tif 000007